(57)【特許請求の範囲】
【請求項１】
隅木梁を上方へ延長する隅木梁の延長工法であって、大棟の端部下の垂直部材の頂部近傍に設置された母屋受けに設置される母屋受け接続部と、該母屋受け接続部の一端縁から既存の隅木梁の立上り角度と略等しい角度で立ち上がる隅木梁接続部とを有する隅木梁延長金具を用い、前記隅木梁接続部に新規の隅木梁の端部を締結具で締結することにより、前記隅木梁接続部に新規の隅木梁の端部を接続し、前記母屋受け接続部と前記母屋受けとを締結具で締結することにより、前記新規の隅木梁を前記既存の隅木梁の延長上に設置することを特徴とする隅木梁の延長工法。
【請求項２】
隅木梁を上方へ延長する隅木梁の延長工法であって、大棟の端部下の垂直部材の頂部近傍に設置された母屋受けに設置される母屋受け接続部と、該母屋受け接続部の一端縁から既存の隅木梁の立上り角度と略等しい角度で立ち上がり、新規の隅木梁の端部を接続した隅木梁接続部とを有する隅木梁延長金具を用い、前記母屋受け接続部と前記母屋受けとを締結具で締結することにより、前記新規の隅木梁を前記既存の隅木梁の延長上に設置することを特徴とする隅木梁の延長工法。
【発明の詳細な説明】
【０００１】
【発明の属する技術分野】
本発明は、住宅の増築時の屋根工事に際し、作業の簡易化を図ることができる隅木梁の延長工法に関する。
【０００２】
【従来の技術】
寄棟造りの住宅の桁側面に増築すると、増築後では、増築前と比べて、棟高さが高くなったり、棟方向が変わったりして、小屋組架構全体が変わることが多い（図１参照）。
【０００３】
このような場合には、新しい小屋組に対応させて、既存の隅木梁の上端部に他の部材を継ぎ足すか、既存の隅木梁をより長い部材に交換するかして、隅木梁を延長する必要が生じる。このため、従来は、既存の小屋組を全面的に解体して、新しい小屋組に施工し直していた。
【０００４】
【発明が解決しようとする課題】
しかしながら、既存の小屋組を全面的に解体して、新しい小屋組に施工し直すので、多くの時間と労力を要し、施工期間が長くなるだけでなく、作業性が悪いという問題点があった。
【０００５】
また、小屋組の各構成部材が鋼等の金属からなる場合には、既存の隅木梁と大棟の端部下の垂直部材との連結部分に、溶接により新規の隅木梁を継ぎ足して、隅木梁を延長させることは可能ではあるが、連結部分と新規の隅木梁との接合を溶接により行うために、作業性が悪いだけでなく、顧客が既存の住宅内で従来通り生活を営むことを考慮すると、十分な安全性を確保することは困難であるという問題点があった。
【０００６】
更に、既存の小屋組を全面解体することにより、多量の産業廃棄物が発生し、これを運搬、処理するために、費用がかかるという問題点があった。
【０００７】
更にまた、前述のように、多くの場合は、増築工事中であっても、顧客が既存の住宅内で生活を営むため、短期間で増築工事を終了することが望ましいが、施工期間が長くなるにしたがって、顧客に不便を強いる期間が長くなり、顧客の負担が大きくなるという問題点があった。
【０００８】
本発明は、上記課題に鑑みてなされたものであり、隅木を支持する隅木梁を有する屋根造りの住宅の桁側面に増築する際の屋根工事において、前記隅木梁の延長を容易に行うことができる隅木梁の延長工法を提供することを目的とする。
【０００９】
【課題を解決するための手段】
前記目的を達成するためになされた本発明の請求項１に記載の隅木梁の延長工法は、隅木梁を上方へ延長する隅木梁の延長工法であって、大棟の端部下の垂直部材の頂部近傍に設置された母屋受けに設置される母屋受け接続部と、該母屋受け接続部の一端縁から既存の隅木梁の立上り角度と略等しい角度で立ち上がる隅木梁接続部とを有する隅木梁延長金具を用い、前記隅木梁接続部に新規の隅木梁の端部を締結具で締結することにより、前記隅木梁接続部に新規の隅木梁の端部を接続し、前記母屋受け接続部と前記母屋受けとを締結具で締結することにより、前記新規の隅木梁を前記既存の隅木梁の延長上に設置することを特徴とするものである。
【００１０】
請求項２に記載の隅木梁の延長工法は、隅木梁を上方へ延長する隅木梁の延長工法であって、大棟の端部下の垂直部材の頂部近傍に設置された母屋受けに設置される母屋受け接続部と、該母屋受け接続部の一端縁から既存の隅木梁の立上り角度と略等しい角度で立ち上がり、新規の隅木梁の端部を接続した隅木梁接続部とを有する隅木梁延長金具を用い、前記母屋受け接続部と前記母屋受けとを締結具で締結することにより、前記新規の隅木梁を前記既存の隅木梁の延長上に設置することを特徴とするものである。
【００１１】
【発明の実施の形態】
以下、本発明に係る隅木梁の延長工法について図面に基づいて説明する。本発明の第１の実施形態に係る隅木梁の延長工法は、図１に示すように、寄棟造りの小屋組１がトラス小屋組である場合に、大棟２の端部から増築部側に既存の隅木梁３を延長する隅木梁の延長工法であって、図２に示すように、大棟２の端部下の垂直部材である隅真束４の頂部５近傍に設けられた母屋受け６に、隅木梁延長金具７を用いて、新規の隅木梁８を継ぎ足すことにより行うものである。以下、更に詳細に説明する。
【００１２】
既存の隅木梁３は、図２に示すように、２本のＣ型鋼９を、その開口部が外側を向くように、締結具により締結したものであって、大棟２の端部から軒先１０の出隅に向って４５°の方向に持ち出すように設けられる（図１参照）ことにより定まる立上り角度αで、隅真束４と所定の金具１１を介して接続している。
【００１３】
母屋受け６は、図２に示すように、母屋１２を受けるための断面略Ｌ字形の金具で、隅真束４の頂部５から斜め下方に伸びる登り梁１３に固定されたものであり、母屋１２を受ける受け部１４には、ボルトナットから構成される締結具１５を用いて、母屋１２を母屋受け６に固定するための貫通孔１６が穿設されている。
【００１４】
隅木梁延長金具７は、図３に示すように、貫通孔１７が穿設された母屋受け接続部１８と、該母屋受け接続部１８の一端縁１９から折れ曲がって、既存の隅木梁３の立上り角度αと略等しい立上り角度で立ち上がる、貫通孔２０が穿設された隅木梁接続部２１とからなる。
【００１５】
母屋受け接続部１８は、図４に示すように、その高さを母屋受け６の受け部１４の高さと同程度とし、貫通孔１７は、母屋受け接続部１８を母屋受け６の受け部１４にあてがったときに該受け部１４の貫通孔１６と略一致する高さに穿設される。また、その長さを母屋受け６の受け部１４の長さより長くして、母屋受け接続部１８の他端縁２２が母屋受け６の受け部１４の端縁２３と揃うように母屋受け接続部１８を母屋受け６の受け部１４にあてがったときに、母屋受け接続部１８の一端縁１９が既存の隅木梁３の長軸線Ｌの延長上に位置する長さとする。
【００１６】
隅木梁接続部２１は、その長さ等は特に限定されるものではないが、貫通孔２０は、隅木梁接続部２１を新規の隅木梁８に締結具１５で締結することにより接続した状態で母屋受け６の受け部１４に母屋受け接続部１８を取り付けたときに新規の隅木梁８の長軸線Ｍが既存の隅木梁３の長軸線Ｌの延長上に位置するように穿設される。これにより、母屋受け接続部１８を母屋受け６の受け部１４に取り付けると隅木梁接続部２１が既存の隅木梁３の長軸線Ｌの延長上に位置することとなる（図５参照）。
【００１７】
また、新規の隅木梁８は、図３に示すように、図２に示す既存の隅木梁３と同様の構成であって、その端部に隅木梁延長金具７と接続するための貫通孔２４が設けられている。
【００１８】
以下、新規の隅木梁８の取付けについて説明する。まず、図３に示すように、新規の隅木梁８を構成する２本のＣ型鋼９の間に、隅木梁延長金具７の隅木梁接続部２１を、新規の隅木梁８の貫通孔２４と隅木梁延長金具７の隅木梁接続部２１の貫通孔２０とが略一致するまで挿入する。そして、新規の隅木梁８の貫通孔２４と隅木梁接続部２１の貫通孔２０とを締結具１５で締結することによって、隅木梁延長金具７の隅木梁接続部２１を新規の隅木梁８に固定し、隅木梁延長金具７を新規の隅木梁８の端部に接続する。
【００１９】
なお、本実施の形態では、工事現場において新規の登り梁８の端部と隅木梁延長金具７の隅木梁接続部２１とをボルト締めで接続したが、これに限定されるものではなく、予め工場等において溶接により新規の登り梁８の端部と隅木梁延長金具７の隅木梁接続部２１とを接続しておいてもよい。
【００２０】
次に、図４に示すように、予め母屋１２を撤去しておいた延長すべき方向の母屋受け６の受け部１４に、隅木梁延長金具７の母屋受け接続部１８を、新規の隅木梁８が上方へ向くように、受け部１４の貫通孔１６と母屋受け接続部１８の貫通孔１７とが略一致するようにあてがう。そして、受け部１４の貫通孔１６と母屋受け接続部１８の貫通孔１７とを締結具１５で締結することによって、母屋受け接続部１８を母屋受け６に固定する。これにより、図５に示すように、新規の隅木梁８が、連結部分５に接続される。
【００２１】
このとき、前述のように、隅木梁延長金具７の隅木梁接続部２１は、母屋受け接続部１８を母屋受け６の受け部１４に固定すると、既存の隅木梁３の長軸線Ｌの延長上に位置するように、母屋受け接続部１８の一端縁１９から立ち上げているので、隅木梁延長金具７の母屋受け接続部１８を母屋受け６の受け部１４に固定するだけで、隅木梁接続部２１に接続された新規の隅木梁８は、既存の隅木梁３の延長上に位置することとなる。
【００２２】
以上により、図２に示すように、既存の隅木梁３が上方に延長される、即ち、隅木梁が増築部側へ延長される（図１参照）。
【００２３】
本発明の第２の実施形態に係る隅木梁の延長工法は、小屋組が和小屋組である場合に、大棟２の端部から増築部側に既存の隅木梁３を延長する隅木梁の延長工法であって、図６に示すように、大棟２の端部下の垂直部材である隅小屋束２５の頂部２６近傍に設けられた母屋受け２７に、隅木梁延長金具７を用いて、新規の隅木梁８を継ぎ足すことにより行うものである。以下、更に詳細に説明する。
【００２４】
母屋受け２７は、１枚のプレートを、その両端を上方へ折り曲げて、母屋１２を受ける受け部２８を形成したものであり、該受け部２８には、締結具１５を用いて、母屋１２を母屋受け６に固定するための貫通孔２９が穿設されている。
【００２５】
なお、既存の隅木梁３、新規の隅木梁８、及び隅木梁延長金具７は、第１の実施形態と同様のものである。
【００２６】
また、新規の隅木梁８の取付けについても、第１の実施形態と同様であり、新規の隅木梁８の端部に隅木梁延長金具７の隅木梁接続部２１を接続し、この状態で、母屋受け２７の延長すべき方向の受け部２８に、隅木梁延長金具７の母屋受け接続部１８を固定することにより行われる。これにより、新規の隅木梁８は、連結部分２４において、既存の隅木梁３の長軸線Ｌの延長上に設けられて、既存の隅木梁３が上方に延長される、即ち、隅木梁が増築部側へ延長されることとなる（図１参照）。
【００２７】
なお、第１の実施形態及び第２の実施形態では、既存の隅木梁３及び新規の隅木梁８を、２本のＣ型鋼９を締結具１５により締結したものとしたが、これに限定されるものではなく、鋼製の管体や木製の角材としてもよい。この場合には、隅木梁延長金具７の隅木梁接続部２１の形状を、例えば、図７に示すような形状にして、新規の隅木梁８を既存の隅木梁３の延長上に位置させる。
【００２８】
【発明の効果】
以上説明したように、本発明の請求項１に記載の隅木梁の延長工法は、大棟の端部下の垂直部材の頂部近傍に設置された母屋受けに設置される母屋受け接続部と、該母屋受け接続部の一端縁から既存の隅木梁の立上り角度と略等しい角度で立ち上がる隅木梁接続部とを有する隅木梁延長金具を用い、前記隅木梁接続部に新規の隅木梁の端部を締結具で締結することにより、前記隅木梁接続部に新規の隅木梁の端部を接続し、前記母屋受け接続部と前記母屋受けとを締結具で締結することにより、前記新規の隅木梁を前記既存の隅木梁の延長上に設置するので、既存の小屋組を全面的に解体することなく、隅木梁を上方へ延長させることができるという利点がある。
【００２９】
また、既存の小屋組を全面的に解体しないので、施工期間を短縮することができるだけでなく、労力を削減しながら作業性を向上させることができるという利点がある。
【００３０】
更に、締結具により母屋受けに新規の隅木梁を接続するので、作業性の向上を図ることができるだけでなく、溶接接合と比べて、十分な安全性を確保することができるという利点がある。
【００３１】
更にまた、既存の小屋組を全面的に解体しないので、産業廃棄物の発生量を減少させることができるだけでなく、これを運搬、処理するための費用を削減することができるという利点がある。
【００３２】
そして、施工期間の短縮化により、顧客に不便を強いる期間が短くなり、顧客の負担が小さくなるという利点がある。
【００３３】
請求項２に記載の隅木梁の延長工法は、大棟の端部下の垂直部材の頂部近傍に設置された母屋受けに設置される母屋受け接続部と、該母屋受け接続部の一端縁から既存の隅木梁の立上り角度と略等しい角度で立ち上がり、新規の隅木梁の端部を接続した隅木梁接続部とを有する隅木梁延長金具を用い、前記母屋受け接続部と前記母屋受けとを締結具で締結することにより、前記新規の隅木梁を前記既存の隅木梁の延長上に設置するので、請求項１の利点に加えて、工事現場での施工の省力化を図ることができるという利点がある。
【００３４】
即ち、本発明の隅木梁の延長工法によれば、施工の省力化、コストダウン及び廃棄物の削減を図ることができるという利点がある。
【図面の簡単な説明】
【図１】本発明の実施の形態に係る小屋組の概略を示す平面図である。
【図２】本発明の第１の実施形態を示す図１のＡ部分を妻側からみた概略側面図である。
【図３】新規の隅木梁と隅木梁延長金具との接続手順を示す概略斜視図である。
【図４】新規の隅木梁の母屋受けへの固定手順を説明するための図１のＡ部分の概略平面図である。
【図５】本発明の第１の実施形態を示す図１のＡ部分の概略平面図である。
【図６】本発明の第２の実施形態を示す図１のＡ部分を妻側からみた概略側面図である。
【図７】他の実施の形態に係る隅木梁延長金具を示す概略平面図である。
【符号の説明】
２  大棟
３  既存の隅木梁
４  垂直部材（隅真束）
５  頂部
６  母屋受け
７  隅木梁延長金具
８  新規の隅木梁
１５  締結具
１６  母屋受けの貫通孔
１７  隅木梁延長金具の貫通孔
１８  母屋受け接続部
１９  一端縁
２１  隅木梁接続部
【図１】
0003838556.tif 000002
【図２】
0003838556.tif 000003
【図３】
0003838556.tif 000004
【図４】
0003838556.tif 000005
【図５】
0003838556.tif 000006
【図６】
0003838556.tif 000007
【図７】
0003838556.tif 000008